(57)【要約】【課題】火災発生時に戸閉した乗場の戸及び防火扉との間の空所においてエレベーターの運行を指示することができるエレベーターの乗場装置を得る。【解決手段】出入口開口部４の縁部を形成した乗場壁６の前に防火扉７を設け、常時は開扉し乗場壁６対面位置に配置する。また、防火扉７の乗場壁６側に設けた非常時操作盤１０が常時において乗場壁６と対面し、火災検出器の動作により防火扉７が閉扉し非常時操作盤１０が出入口開口部４に対向する。これによって、火災時に乗場の戸５と防火扉７の間の出入口開口部４に乗客が閉じ込められたときに、乗客が出入口開口部４で非常時操作盤１０を操作する。これにより、非常時制御によって救出運転を行い出入口開口部４の乗客を迅速に救出し、また通常時の非常時操作盤１０の乱用を防ぐ。【選択図】　　　　図１
2004137036.tif 000002
【特許請求の範囲】
【請求項１】
エレベーターの乗場に設けられて上記乗場の出入口開口部の縁部を形成した乗場壁の前側に配置された引き戸からなり、上記出入口開口部を開閉し常時は上記乗場壁の前面に対面した開扉位置に配置され、少なくとも火災発生兆候によって動作する検出器の動作を介して閉扉して上記出入口開口部を閉塞する防火扉と、この防火扉の開扉時における上記乗場壁の前面との対向面に設けられて、上記防火扉の閉扉時に上記出入口開口部において操作されて上記エレベーターに運行を指示する非常時操作盤とを備えたエレベーターの乗場装置。
【請求項２】
非常時操作盤を、防火扉の乗場壁との対向面を覆って配置された操作パネル、上記防火扉面及び操作パネルとの間に設けられて上記操作パネルを上記防火扉面に対して弾性支持した弾性支持片及び上記防火扉面及び操作パネルとの間に設けられ上記操作パネルを介して押圧されて動作する非常ボタンからなるものとしたことを特徴とする請求項１記載のエレベーターの乗場装置。
【発明の詳細な説明】
【０００１】
【発明の属する技術分野】
この発明は、乗場の出入口開口部の前側に配置されて火災発生によって閉扉する防火扉が設けられたエレベーターの乗場装置に関する。
【０００２】
【従来の技術】
従来のエレベーターの乗場装置において、エレベーターの乗場に防火扉を設け常時は開放位置に配置し、エレベーターが設置された建物の火災発生によって防火扉が変位して、乗場の出入口開口部を閉塞して防火区画を形成しエレベーターの昇降路を経由した延焼を防止するように構成されたものがある。（例えば、特許文献１参照）
【０００３】
【特許文献１】
実開平２−６５９４７号公報（第１頁、第１図）
【０００４】
【発明が解決しようとする課題】
上記のような従来のエレベーターの乗場装置では、エレベーターが設置された建物の火災発生時に、エレベーターの乗場出入口を開閉する乗場の戸が閉塞し、かつ防火扉が閉扉する。このときに、乗場の戸と防火扉との空所にエレベーターの乗客、特に幼児等が閉じ込められる事態が生じるという問題点があった。
【０００５】
この発明は、かかる問題点を解消するためになされたものであり、火災発生時に戸閉した乗場の戸及び防火扉との間の空所においてエレベーターの運行を指示することができるエレベーターの乗場装置を得ることを目的とする。
【０００６】
【課題を解決するための手段】
この発明に係るエレベーターの乗場装置においては、エレベーターの乗場に設けられて乗場の出入口開口部の縁部を形成した乗場壁の前側に配置された引き戸からなり、出入口開口部を開閉し常時は乗場壁の前面に対面した開扉位置に配置され、少なくとも火災発生兆候によって動作する検出器の動作を介して閉扉して出入口開口部を閉塞する防火扉と、この防火扉の開扉時における乗場壁の前面との対向面に設けられ、防火扉の閉扉時に出入口開口部において操作されてエレベーターに運行を指示する非常時操作盤とが設けられる。
【０００７】
【発明の実施の形態】
実施の形態１．
図１〜図３は、この発明の実施の形態の一例を示す図で、図１は通常状態におけるエレベーターの要部横断平面図、図２は図１のエレベーターの火災発生時の状態を示す図１相当図、図３は図１のエレベーターにおける防火扉の乗場壁側の立面図である。図において、かご１が昇降する昇降路２に建物の階床に対応して乗場３が設けられる。
【０００８】
また、エレベーターの通常運転時に乗場３の出入口開口部４を開閉する乗場の戸５が、出入口開口部４の縁部を形成した乗場壁６の昇降路２側に設けられる。そして、乗場壁６の前側に配置された引き戸からなり出入口開口部４を開閉する防火扉７が設けられる。この防火扉７は、常時は乗場壁６の前面に対面した開扉位置に配置され、温度上昇、火炎発生、煙発生等の少なくとも火災発生兆候によって動作する検出器（図示しない）の動作を介して閉扉して出入口開口部４を閉塞する。
【０００９】
また、乗場壁６には防火扉７に対応した戸袋構造体８が設けられて、戸袋構造体８の乗場３側の立面に通常時操作盤９が装備される。そして、防火扉７の乗場壁６側の立面に、防火扉７の閉扉時に出入口開口部４に対向する非常時操作盤１０が装備され、非常時操作盤１０に非常ボタン１１が設けられる。
【００１０】
上記のように構成されたエレベーターの乗場装置において、乗場３の出入口開口部４を開閉する防火扉７が設けられて、常時は乗場壁６に対面した図１に示す開扉位置に配置される。そして、通常状態では戸袋構造体８の乗場３側の立面に設けられた通常時操作盤９をエレベーターの乗客が操作することによってかご１が運転される。
【００１１】
また、少なくとも火災発生兆候によって動作する検出器（図示しない）が動作したときに、この検出器の動作を介して防火扉７が閉扉して出入口開口部４を図２に示すように閉塞する。そして、図２に示す状態では非常時操作盤１０に設けられた非常ボタン１１が出入口開口部４に対応した位置に配置される。
【００１２】
このような構成において、エレベーターが設置された建物の火災発生時に、乗場３の出入口開口部４を開閉する乗場の戸５が閉塞し、かつ防火扉７が閉扉する。そして、この場合に出入口開口部４、すなわち乗場の戸５と防火扉７との空所エレベーターの乗客、特に幼児等が閉じ込められる事態が生じたときに、乗客が出入口開口部４において防火扉７に設けられた非常時操作盤１０の非常ボタン１１を押す。
【００１３】
これによって、非常ボタン１１の操作により火災発生時に戸閉した乗場の戸５及び防火扉７の間の空所においてエレベーターの運行を指示することができ、エレベーターが非常時制御されて非常ボタン１１が押された乗場３にかご１が運転される。これにより、出入口開口部４に閉じ込められた乗客の救出を迅速化することができる。
【００１４】
なお、防火扉７の乗場壁６側の立面に非常時操作盤１０が装備され、防火扉７の閉扉時に出入口開口部４に対向する位置に配置され、また通常時において防火扉７が開扉して非常時操作盤１０が乗場壁６の前面と対面して配置される。このため、通常時に非常時操作盤１０が操作不能になって乱用されたり、悪戯されて故障したりする不具合の発生を未然に防止することができる。
【００１５】
また、図２に示す状態では出入口開口部４が暗くなるので、火災発生兆候によって動作する検出器の動作を介して動作する表示灯を設けたり、音声によって非常ボタン１１の操作を促したりすることも可能である。また非常ボタン１１の操作のための点字名板を設けることも可能である。
【００１６】
実施の形態２．
図４〜図６は、この発明の他の実施の形態の一例を示す図で、図４は通常状態におけるエレベーターの要部横断平面図、図５は図４のエレベーターの火災発生時の状態を示す図４相当図、図６は図４の防火扉の拡大図である。図において、前述の図１〜図３と同符号は相当部分を示し、閉扉時における防火扉７の乗場壁６との対向面に後述する非常時操作盤１２が設けられる。
【００１７】
すなわち非常時操作盤１２は、防火扉７の乗場壁６との対向面の全面を覆って配置された操作パネル１３、ゴム等の粘弾性材料からなり防火扉７面と操作パネル１３との間に設けられて操作パネル１３を防火扉７面に対して弾性支持した弾性支持片１４及び防火扉７面と操作パネル１３との間に設けられ操作パネル１３を介して押圧されて動作する非常ボタン１５によって構成されている。
【００１８】
上記のように構成されたエレベーターの乗場装置においても、防火扉７の乗場壁６側の立面に非常時操作盤１２が装備され、常時は乗場壁６に対面した図４に示す開扉位置に配置される。これにより、通常時において非常時操作盤１２は乗場壁６の前面と対面して配置される。
【００１９】
また、少なくとも火災発生兆候によって動作する検出器の動作によって防火扉７が閉扉して出入口開口部４を図５に示すように閉塞する。このときに、防火扉７の閉扉時に非常時操作盤１２が出入口開口部４に対向する位置に配置される。したがって、詳細な説明を省略するが図４〜図６の実施の形態においても図１〜図３の実施の形態と同様な作用が得られる。
【００２０】
また、図４〜図６の実施の形態において防火扉７の全面を覆って操作パネル１３が配置されて、操作パネル１３の変位を介して非常ボタン１５が押圧されて動作する。このため、乗客が操作パネル１３面の随所を押すことによって、非常ボタン１５が押圧されて動作する。このため、閉じ込められた乗客が非常ボタン１５を容易に操作することができて、出入口開口部４に閉じ込められた乗客の救出を迅速化することができる。
【００２１】
【発明の効果】
この発明は以上説明したように、エレベーターの乗場に設けられて乗場の出入口開口部の縁部を形成した乗場壁の前側に配置された引き戸からなり、出入口開口部を開閉し常時は乗場壁の前面に対面した開扉位置に配置され、少なくとも火災発生兆候によって動作する検出器の動作を介して閉扉して出入口開口部を閉塞する防火扉と、この防火扉の開扉時における乗場壁の前面との対向面に設けられて、防火扉の閉扉時に出入口開口部において操作されてエレベーターに運行を指示する非常時操作盤とを設けたものである。
【００２２】
このような構成によって、乗場の出入口開口部を開閉する防火扉が設けられて、常時は乗場壁に対面した開扉位置に配置される。そして、少なくとも火災発生兆候によって動作する検出器が動作したときに、この検出器の動作を介して防火扉が閉扉して出入口開口部を閉塞する。そして、この状態では非常時操作盤が出入口開口部に対応した位置に配置されて、エレベーターが設置された建物の火災発生時に乗場の出入口開口部を開閉する乗場の戸が閉塞し、かつ防火扉が閉扉する。この場合に乗場の戸と防火扉との空所、すなわち出入口開口部にエレベーターの乗客が閉じ込められる事態が生じたときに、乗客が出入口開口部において防火扉に設けられた非常時操作盤を操作することができる。これにより、エレベーターが非常時制御されて非常ボタンが押された乗場にかごが運転されて、出入口開口部に閉じ込められた乗客の救出を迅速化する効果がある。また、防火扉が開扉時に乗場壁に対面した位置に配置され、通常時において非常時操作盤が乗場壁と対面して配置されるので、非常時操作盤が操作不能になって乱用されたり、悪戯されて故障したりする不具合の発生を未然に防止する効果がある。
【図面の簡単な説明】
【図１】この発明の実施の形態１を示す図で、通常状態におけるエレベーターの要部横断平面図。
【図２】図１のエレベーターの火災発生時の状態を示す図１相当図。
【図３】図１のエレベーターにおける防火扉の乗場壁側の立面図。
【図４】この発明の実施の形態２を示す図で、通常状態におけるエレベーターの要部横断平面図。
【図５】図４のエレベーターの火災発生時の状態を示す図４相当図。
【図６】図４の防火扉の拡大図。
【符号の説明】
３　乗場、　　４　出入口開口部、　　６　乗場壁、　　７　防火扉、　　１０　非常時操作盤、　　１２　非常時操作盤、　　１３　操作パネル、　　１４弾性支持片、　　１５　非常ボタン。
【図１】
2004137036.tif 000003
【図２】
2004137036.tif 000004
【図３】
2004137036.tif 000005
【図４】
2004137036.tif 000006
【図５】
2004137036.tif 000007
【図６】
2004137036.tif 000008